(57)【特許請求の範囲】
【請求項１】
野生動物の所定領域への侵入を防止するために設置される動物侵入防止柵であり、
侵入防止柵ユニットと、可動連結部と、を具備し、
前記侵入防止柵ユニットは、多角形断面を有しており、且つ、互いに隣接された第１侵入防止柵ユニットおよび第２侵入防止柵ユニットを有し、
前記可動連結部は、前記第１侵入防止柵ユニットおよび前記第２侵入防止柵ユニットを回転可能な状態で連結することを特徴とする動物侵入防止柵。
【請求項２】
前記可動連結部は、一方が前記第１侵入防止柵ユニットに接続され、他方が前記第２侵入防止柵ユニットに接続された紐状部材であることを特徴とする請求項１に記載の動物侵入防止柵。
【請求項３】
前記侵入防止柵ユニットは、略三角形の断面を有していることを特徴とする請求項１または請求項２に記載の動物侵入防止柵。
【請求項４】
上下方向に沿って伸びる案内部材と、を更に具備し、
前記案内部材は、前記第１侵入防止柵ユニットと前記第２侵入防止柵ユニットとの間に設置され、
前記可動連結部は、前記案内部材に対して上下方向に案内されるように配設されることを特徴とする請求項１から請求項３の何れかに記載の動物侵入防止柵。
【請求項５】
錘部材、を更に具備し、
前記錘部材は、侵入防止柵ユニットに移動可能に収納されることを特徴とする請求項１から請求項４の何れかに記載の動物侵入防止柵。
【請求項６】
前記錘部材は、
前記侵入防止柵ユニットの長さ方向において、一端側から他端側に至るまで伸びる長尺部材であることを特徴とする請求項５に記載の動物侵入防止柵。
【請求項７】
前記侵入防止柵ユニットの断面角部に取り付けられ、前記侵入防止柵ユニットを構成する部材に対して回転可能であるローラと、を更に具備することを特徴とする請求項１から請求項６の何れかに記載の動物侵入防止柵。
【発明の詳細な説明】
【技術分野】
【０００１】  本発明は、動物が圃場等に侵入すること防止する動物侵入防止柵に関する。
【背景技術】
【０００２】  近年、猪や鹿などの野生動物による農業被害は深刻化している。このような被害の対策の一環として、野生動物の圃場への侵入を阻止するべく、圃場を柵で囲むことが行われている。【０００３】  このような柵として、例えば、以下の特許文献１ないし特許文献４に記載された発明がある。【０００４】  特許文献１では、動物侵入防止柵を、動物侵入防止区画の境界線に沿った地面上に立設される第一パネルと、第一パネルとは別体から構成している。また、第一パネルにおける境界線よりも手前側で傾斜配置される網状の第二パネルとで構成されている。更に、第一パネルを突破するために第一パネルの手前側から第一パネルに近づいてきた動物の足元が、第二パネルの網の目に嵌まるように構成されている。このようにすることで、その動物が第一パネルに近づく意欲を喪失することができる。【０００５】  特許文献２では、第１の金網枠と第２の金網枠との接合端縁を第１のコイル状連結材で転回自在に連結し、第２の金網枠の高さ方向中間部の金網と第３の金網枠の一方端縁を第２のコイル状連結材で連結されている。さらに、第３の金網枠の他方端縁にスライドリングを設け、このスライドリングに第１の金網枠の中の金網を構成するスライド棒を挿通している。これにより、第１の金網枠と第２の金網枠の開き角度を調整し、動物侵入を防止する効果を発揮できる。【０００６】  特許文献３では、地面に対して前方に向かって上向きに傾く状態となる柵本体部と、柵本体部を傾く状態に支える柵支持部とを有し、柵本体部及び柵支持部は、左右方向に間隔をおいた複数の縦線材と、前後方向に間隔をおいた複数の横線材とを格子状に固定した金網から形成される。金網は、複数の縦線材が前後方向途中位置に最高位置となるように屈曲された状態であり、金網のうち、前後方向途中位置よりも後方側部分が柵本体部とされ、柵本体部以外の残余部分が柵支持部とされる。【０００７】  特許文献４では、二重柵において、外側柵手段に物理的進入阻害資材を採用し、内側柵手段に視覚阻害資材を採用している。更に、外側柵手段と内側柵手段を逆Ｖ字構造に連結した。また、外側および内側柵手段おける支柱に導電性素材を採用し、地表部には導電性抑草シートを敷設した。このようにすることで、外側の柵手段に張設された物理的行動阻害資材の効果が発揮される。
【先行技術文献】
【特許文献】
【０００８】
【特許文献１】特開２０２０−０６２００５号公報
【特許文献２】特開２０１８−１９１５８３号公報
【特許文献３】特開２０１７−０４２０８１号公報
【特許文献４】特開２００８−００００６６号公報
【発明の概要】
【発明が解決しようとする課題】
【０００９】  しかしながら、上記した引用文献１ないし引用文献４に記載された侵入防止柵では、動物の侵入を防止する効果、柵を作成および設置するためのコスト性、および、メンテナンス性等の観点から、改善の余地があった。【００１０】  本発明は、このような問題点を鑑みてなされたものであり、本発明の目的は、動物の侵入を防止する効果等が向上された動物侵入防止柵を提供することにある。
【課題を解決するための手段】
【００１１】  本発明は、野生動物の所定領域への侵入を防止するために設置される動物侵入防止柵であり、侵入防止柵ユニットと、可動連結部と、を具備し、前記侵入防止柵ユニットは、多角形断面を有しており、且つ、互いに隣接された第１侵入防止柵ユニットおよび第２侵入防止柵ユニットを有し、前記可動連結部は、前記第１侵入防止柵ユニットおよび前記第２侵入防止柵ユニットを回転可能な状態で連結することを特徴とする。【００１２】  また、本発明の動物侵入防止柵では、前記可動連結部は、一方が前記第１侵入防止柵ユニットに接続され、他方が前記第２侵入防止柵ユニットに接続された紐状部材であることを特徴とする。【００１３】  また、本発明の動物侵入防止柵では、前記侵入防止柵ユニットは、略三角形の断面を有していることを特徴とする。【００１４】  また、本発明の動物侵入防止柵では、上下方向に沿って伸びる案内部材と、を更に具備し、前記案内部材は、前記第１侵入防止柵ユニットと前記第２侵入防止柵ユニットとの間に設置され、前記可動連結部は、前記案内部材に対して上下方向に案内されるように配設されることを特徴とする。【００１５】  また、本発明の動物侵入防止柵では、錘部材、を更に具備し、前記錘部材は、侵入防止柵ユニットに移動可能に収納されることを特徴とする。【００１６】  また、本発明の動物侵入防止柵では、前記錘部材は、侵入防止柵ユニットの長さ方向において、一端側から他端側に至るまで伸びる長尺部材であることを特徴とする。【００１７】  また、本発明の動物侵入防止柵では、前記侵入防止柵ユニットの断面角部に取り付けられ、前記侵入防止柵ユニットを構成する部材に対して回転可能であるローラと、を更に具備することを特徴とする。
【発明の効果】
【００１８】  本発明は、野生動物の所定領域への侵入を防止するために設置される動物侵入防止柵であり、侵入防止柵ユニットと、可動連結部と、を具備し、前記侵入防止柵ユニットは、多角形断面を有しており、且つ、互いに隣接された第１侵入防止柵ユニットおよび第２侵入防止柵ユニットを有し、前記可動連結部は、前記第１侵入防止柵ユニットおよび前記第２侵入防止柵ユニットを回転可能な状態で連結することを特徴とする。本願発明の動物侵入防止柵によれば、可動連結部により第１侵入防止柵ユニットと第２侵入防止柵ユニットとが回転可能に連結されることで、動物の持ち上げにより第１侵入防止柵ユニットが回転したとしても、当該持ち上げに伴い、動物が動物侵入防止柵を突破して所定領域に侵入することを防止できる。よって、圃場への動物の侵入を防止し、圃場において動物が作物を食い荒らすことを防止し、農家の収益性を向上することができる。【００１９】  また、本発明の動物侵入防止柵では、前記可動連結部は、一方が前記第１侵入防止柵ユニットに接続され、他方が前記第２侵入防止柵ユニットに接続された紐状部材であることを特徴とする。本願発明の動物侵入防止柵によれば、可動連結部として紐状部材を採用することで、容易に可動連結部を構成でき、更に、コストを低減することができる。【００２０】  また、本発明の動物侵入防止柵では、前記侵入防止柵ユニットは、略三角形の断面を有していることを特徴とする。本願発明の動物侵入防止柵によれば、侵入防止柵ユニットが略三角形の断面を有していることで、動物が侵入防止柵ユニットを持ち上げた際における、侵入防止柵ユニットの破損を抑制し、且つ、侵入防止柵ユニットの回転を許容できる。【００２１】  また、本発明の動物侵入防止柵では、上下方向に沿って伸びる案内部材と、を更に具備し、前記案内部材は、前記第１侵入防止柵ユニットと前記第２侵入防止柵ユニットとの間に設置され、前記可動連結部は、前記案内部材に対して上下方向に案内されるように配設されることを特徴とする。本願発明の動物侵入防止柵によれば、例えば、動物が第１侵入防止柵ユニットを持ち上げたとしても、可動連結部が案内部材に沿って上方に移動することで、第１侵入防止柵ユニットが上方に移動しつつ回転し、その後、元の回転位置に戻る。よって、動物の侵入を防止すると共に、動物から与えられる外力により、侵入防止柵ユニットが破壊されることを防止できる。【００２２】  また、本発明の動物侵入防止柵では、錘部材、を更に具備し、前記錘部材は、侵入防止柵ユニットに移動可能に収納されることを特徴とする。本願発明の動物侵入防止柵によれば、動物が侵入防止柵ユニットを持ち上げようとすると、侵入防止柵ユニットの外側端が上昇し、その後に侵入防止柵ユニットは回転する。その際、錘部材は侵入防止柵ユニットの内部を移動し、元の位置、例えば、侵入防止柵ユニットの内部における外側に戻る。よって、錘部材に作用する重力により、侵入防止柵ユニットと地面との間に大きな間隙が形成することが抑制され、当該間隙を経由して動物が畑等に進入することを抑制できる。【００２３】  また、本発明の動物侵入防止柵では、前記錘部材は、侵入防止柵ユニットの長さ方向において、一端側から他端側に至るまで伸びる長尺部材であることを特徴とする。本願発明の動物侵入防止柵によれば、錘部材が長尺部材であることで、侵入防止柵ユニットの長さ方向全域において錘部材による荷重を発生させることができ、侵入防止柵ユニットと地面との間に大きな間隙が形成することを抑制し、当該間隙から動物が侵入することを防止できる。【００２４】  また、本発明の動物侵入防止柵では、前記侵入防止柵ユニットの断面角部に取り付けられ、前記侵入防止柵ユニットを構成する部材に対して回転可能であるローラと、を更に具備することを特徴とする。本願発明の動物侵入防止柵によれば、ローラが地面に接して回転することで、侵入防止柵ユニットの回転を容易にすることができる。
【図面の簡単な説明】
【００２５】
【図１】本発明の実施形態に係る動物侵入防止柵を示す上面概念図である。
【図２】本発明の実施形態に係る動物侵入防止柵の連結構成を示す図である。
【図３】本発明の実施形態に係る動物侵入防止柵を示す図であり、（Ａ）は侵入防止柵ユニットを示す斜視図であり、（Ｂ）は侵入防止柵ユニットを示す分解斜視図である。
【図４】本発明の実施形態に係る動物侵入防止柵を示す図であり、（Ａ）ないし（Ｄ）は侵入防止柵ユニットが変位する状況を示す上面図である。
【図５】本発明の実施形態に係る動物侵入防止柵を示す図であり、（Ａ）は動物が侵入防止柵ユニットを回転する状況を左方側から見た図であり、（Ｂ）は当該部分の動物侵入防止柵を外側から見た図である。
【図６】本発明の実施形態に係る動物侵入防止柵を示す図であり、（Ａ）は動物が侵入防止柵ユニットを回転する状況を左方側から見た図であり、（Ｂ）は当該部分の動物侵入防止柵を外側から見た図である。
【図７】本発明の実施形態に係る動物侵入防止柵を示す図であり、（Ａ）は動物が侵入防止柵ユニットを回転する状況を左方側から見た図であり、（Ｂ）は当該部分の動物侵入防止柵を外側から見た図である。
【図８】本発明の他の形態に係る動物侵入防止柵を示す図であり、（Ａ）は侵入防止柵ユニットを左方側から見た図であり、（Ｂ）は当該部分の動物侵入防止柵を外側から見た図であり、（Ｃ）はローラを左方側から見た図であり、（Ｄ）はローラを外側から見た図である。
【発明を実施するための形態】
【００２６】  以下、本発明の実施形態を図面に基づき詳細に説明する。以下の説明では、同一の部材には原則的に同一の符号を付し、繰り返しの説明は省略する。また、以下の説明に於いて、内側とは圃場１０に向かう方向であり、外側とは圃場１０から離れる方向である。また、左右方向とは動物侵入防止柵１１を構成する侵入防止柵ユニット１２１等が並ぶ方向である。
【００２７】  図１は、動物侵入防止柵１１を示す上面概念図である。
【００２８】  圃場１０は、例えば、イモ、ジャガイモ、タマネギなどの根菜類を栽培する畑である。
【００２９】  動物侵入防止柵１１は、所定領域である圃場１０に動物１８が侵入すること防止するために、圃場１０の全周を囲むように設置される。このようにすることで、後述するように、猪などの動物１８が、圃場１０に侵入することを防止し、圃場１０で栽培された根菜類等を食い荒らすことを防止できる。
【００３０】  図２は、動物侵入防止柵１１の連結構成を示す図である。図２は、図１に示した動物侵入防止柵１１の一部分を示している。
【００３１】  動物侵入防止柵１１は、左方側から、侵入防止柵ユニット１２１、侵入防止柵ユニット１２２、侵入防止柵ユニット１２３および侵入防止柵ユニット１２４を有している。また、侵入防止柵ユニット１２１と侵入防止柵ユニット１２２とは可動連結部１３１により接続され、侵入防止柵ユニット１２２と侵入防止柵ユニット１２３とは可動連結部１３２により接続され、侵入防止柵ユニット１２３と侵入防止柵ユニット１２４とは可動連結部１３３により接続されている。
【００３２】  侵入防止柵ユニット１２１ないし侵入防止柵ユニット１２４の各々には、左端部に接続部１９が形成され、右端部に接続部２０が形成されている。接続部１９および接続部２０は、侵入防止柵ユニット１２１等どうしを互いに連結するための部位である。
【００３３】  案内部材１６１は、可動連結部１３１に挿通されることで、可動連結部１３１を上下方向に案内している。案内部材１６２は、可動連結部１３２に挿通されることで、可動連結部１３２を上下方向に案内している。案内部材１６３は、可動連結部１３３に挿通されることで、可動連結部１３３を上下方向に案内している。また、案内部材１６１ないし案内部材１６３は、可動連結部１３１ないし可動連結部１３３に挿通されることで、可動連結部１３１ないし可動連結部１３３が接続された侵入防止柵ユニット１２１ないし侵入防止柵ユニット１２４が過度に移動することを防止している。
【００３４】  可動連結部１３１は、侵入防止柵ユニット１２１の接続部２０と、侵入防止柵ユニット１２２の接続部１９と、を互いに回転可能な状態で連結する。可動連結部１３１としては、例えば、化学合成繊維やゴム等の良伸縮性材料から成る紐状部材を採用できる。例えば、可動連結部１３１の左端側は侵入防止柵ユニット１２１の接続部２０に絡げられ、可動連結部１３１の右端側は侵入防止柵ユニット１２２の接続部１９に絡げられる。係る構成は、可動連結部１３２および可動連結部１３３に関しても同様である。
【００３５】  案内部材１６１は、例えば、地面に挿入された支柱状の部材であり、可動連結部１３１を上下方向に案内するべく挿通する。案内部材１６１の上端は、侵入防止柵ユニット１２１の上端と同等以上の高さに設定されている。係る構成は、案内部材１６２および案内部材１６３に関しても、同様である。
【００３６】  図３（Ａ）は侵入防止柵ユニット１２２を示す斜視図であり、図３（Ｂ）は侵入防止柵ユニット１２２を示す分解斜視図である。
【００３７】  図３（Ａ）を参照して、侵入防止柵ユニット１２２は、多角形断面の一例としての略正三角形断面を有する略三角柱形状を呈している。ここでは、一例として、侵入防止柵ユニット１２２は略正三角形の断面を有している。侵入防止柵ユニット１２２が略正三角形断面を呈していることで、断面形状を安定化させ、侵入防止柵ユニット１２２の強度を向上することができ、更に、侵入防止柵ユニット１２２を地面に対して安定して設置することができる。また、後述するように、動物１８からの外力が作用した際に、動物１８の侵入を防止するべく、侵入防止柵ユニット１２２を回転させることができる。
【００３８】  図３（Ｂ）を参照して、侵入防止柵ユニット１２２は、矩形面部１４１、矩形面部１４２、矩形面部１４３、三角面部１５１および三角面部１５２を有している。ここで、矩形面部１４１、矩形面部１４２および矩形面部１４３は、後述する動物１８が接触する部位であり、三角面部１５１および三角面部１５２は、侵入防止柵ユニット１２２の端面であり、妻部または妻面とも称される。
【００３９】  矩形面部１４１、矩形面部１４２および矩形面部１４３は、数ｍｍ程度の太さを有する棒状鋼材をメッシュ状に交差および結合させた部材である。メッシュの大きさは、例えば、一辺の長さが１３ｃｍないし１７ｃｍの略正方形とされている。矩形面部１４１の上辺部は、矩形面部１４２の上辺部と接続される。この接続では、ヒモや結束バンド等により、矩形面部１４１の上辺部と矩形面部１４２の上辺部とが互いに大きく変位しないように、強く結束される。同様に、矩形面部１４２の下辺部と、矩形面部１４３の外辺部とが、接続される。また、矩形面部１４１の下辺部と、矩形面部１４３の内辺部とが接続される。
【００４０】  三角面部１５１および三角面部１５２は、矩形面部１４１等と同様の部材から構成される。三角面部１５１の各側辺は、矩形面部１４１、矩形面部１４２および矩形面部１４３の左側辺と接続される。三角面部１５２の各側辺は、矩形面部１４１、矩形面部１４２および矩形面部１４３の右側辺と接続される。
【００４１】  三角面部１５１の重心に相当する位置に、接続部１９が形成される。同様に、三角面部１５２の重心に相当する位置に、接続部２０が形成される。接続部１９および接続部２０は、図２に示した可動連結部１３１等が接続される部位である。
【００４２】  図４（Ａ）ないし図４（Ｄ）は、侵入防止柵ユニット１２３が変位する状況を示す上面図である。
【００４３】  図４（Ａ）を参照して、上記したように、侵入防止柵ユニット１２２の右端に形成された接続部１９と、侵入防止柵ユニット１２３の左端に形成された接続部２０とは、可動連結部１３２により接続される。また、案内部材１６２は、可動連結部１３２を挿通している。可動連結部１３２は、侵入防止柵ユニット１２２と侵入防止柵ユニット１２３との相対回転を許容するように、所定の長さを有している。
【００４４】  図４（Ｂ）を参照して、侵入防止柵ユニット１２３が右方に移動した場合、可動連結部１３２が伸びる範囲で、侵入防止柵ユニット１２２と侵入防止柵ユニット１２３との間に間隙が形成される。この間隙の長さＬ２は、動物１８が侵入できない幅とされ、例えば１５ｃｍ以下、更に好適には１０ｃｍ以下とされている。
【００４５】  図４（Ｃ）を参照して、ここでは、侵入防止柵ユニット１２３が内側に移動している。このような場合であっても、侵入防止柵ユニット１２２の接続部１９と、侵入防止柵ユニット１２３の接続部２０とは、可動連結部１３２により接続されている。よって、侵入防止柵ユニット１２２と侵入防止柵ユニット１２３との間隙から、動物１８は侵入することはできない。
【００４６】  図４（Ｄ）を参照して、ここでは、侵入防止柵ユニット１２３が外側に移動している。係る場合であっても、上記と同様に、侵入防止柵ユニット１２２と侵入防止柵ユニット１２３とは可動連結部１３２により接続されている。よって、侵入防止柵ユニット１２２と侵入防止柵ユニット１２３との間から、動物１８は侵入することはできない。
【００４７】  図５ないし図７は、圃場１０への侵入を試みる動物１８が、侵入防止柵ユニット１２３を回転させる状況を経時的に示す図である。図５ないし図７において、（Ａ）は動物１８が侵入防止柵ユニット１２３を回転させる況を左方側から見た図であり、（Ｂ）は当該部分の動物侵入防止柵１１を外側から見た図である。ここでは、動物１８として猪を例示している。また、侵入防止柵ユニット１２３の断面における各頂点を、頂点Ａ、頂点Ｂおよび頂点Ｃとしている。更に、図５ないし図７において、接続部１９から頂点Ｂまでの距離をＬ１としている。
【００４８】  図５（Ａ）を参照して、侵入防止柵ユニット１２３には、錘部材１７が移動可能に収納される。
【００４９】  錘部材１７は、侵入防止柵ユニット１２３の長さ方向、即ち、左右方向において、一端側から他端側に至るまで伸びる長尺部材である。錘部材１７の断面形状としては、侵入防止柵ユニット１２３と相似な形状、即ち略正三角形状を採用することができる。具体的な錘部材１７としては、比重が比較的大きい部材を採用することができ、具体的には、束状にされた鉄筋、水タンク等を採用することができる。錘部材１７は、侵入防止柵ユニット１２３の内部であって、外側端部側に配置されている。
【００５０】  動物１８が圃場１０への侵入を試みるとき、動物１８は、侵入防止柵ユニット１２３を突破するべく、侵入防止柵ユニット１２３の頂点Ａを、下方から上方に向かって持ち上げる。動物１８が猪であれば、動物１８は、その鼻や牙等を、侵入防止柵ユニット１２３の格子部分に挿入し、上方に向かって持ち上げる。ここで、侵入防止柵ユニット１２３の重心である接続部１９は、可動連結部１３２が接続しており、可動連結部１３２は案内部材１６２により上下方向に可動に案内されている。更に、図５（Ｂ）に示すように、侵入防止柵ユニット１２３は、隣接された侵入防止柵ユニット１２２および侵入防止柵ユニット１２４に対して相対回転可能に接続されている。係る接続構造により、侵入防止柵ユニット１２２および侵入防止柵ユニット１２４を元の状態にしたまま、侵入防止柵ユニット１２３のみを回転させることができる。
【００５１】  図５（Ｂ）を参照して、動物１８が侵入防止柵ユニット１２３を持ち上げていない段階では、侵入防止柵ユニット１２３の上辺は、隣接する侵入防止柵ユニット１２２および侵入防止柵ユニット１２４の上辺と同様の高さである。
【００５２】  図６（Ａ）を参照して、動物１８が、侵入防止柵ユニット１２３の頂点Ａを、上方に向かって持ち上げると、侵入防止柵ユニット１２３は、接続部１９および可動連結部１３２を回転中心として、紙面上反時計回りに回転する。この図では、時系列に、動物１８の持ち上げにより、頂点Ｃが最上部に達した際の侵入防止柵ユニット１２３を実線で示し、頂点Ａおよび頂点Ｃが同レベルに達した際の侵入防止柵ユニット１２３を一点鎖線で示し、頂点Ａが最上部に達した際の侵入防止柵ユニット１２３を点線で示している。
【００５３】  頂点Ｃが最上部に達した際、錘部材１７は、侵入防止柵ユニット１２３の内部で後方側である頂点Ｂの近傍まで移動する。更にこの際、頂点Ａは地面から離間するものの、頂点Ｂは、錘部材１７の自重により地面に押しつけられている状態が維持され、動物１８の圃場１０への侵入が防止されている。
【００５４】  頂点Ａおよび頂点Ｃが同レベルに達した際であっても、錘部材１７の自重により、頂点Ｂは依然として地面に接している。この際、可動連結部１３２は、案内部材１６２に対して移動可能に案内されていることから、接続部１９および可動連結部１３２は、案内部材１６２に沿って上方に移動する。ここで、接続部１９と地面との距離がＬ１となるものの、案内部材１６２の突出長さは、Ｌ１よりも長く設定されているため、可動連結部１３２が案内部材１６２から外れることはない。
【００５５】  頂点Ａが最上部に達した際においても、同様に、錘部材１７の自重により、頂点Ｂは依然として地面に接している。
上記した各状態に於いて、侵入防止柵ユニット１２３の頂点Ｂが一時的に地面から離れたとしても、侵入防止柵ユニット１２３と地面との間に形成される間隙は僅かであるため、この間隙を経由して動物１８は圃場１０の側に侵入することはできない。
図６（Ｂ）を参照して、侵入防止柵ユニット１２３の接続部２０は、侵入防止柵ユニット１２３を介して、侵入防止柵ユニット１２２の接続部１９と接続されている。また、侵入防止柵ユニット１２３の接続部１９は、可動連結部１３３を介して、侵入防止柵ユニット１２４の接続部２０と接続されている。よって、動物１８が侵入防止柵ユニット１２３を持ち上げようとしても、侵入防止柵ユニット１２２および侵入防止柵ユニット１２４が、所謂アンカーのように作用し、侵入防止柵ユニット１２３が地面から離れることを防止できる。
【００５６】  図７（Ａ）および図７（Ｂ）を参照して、動物１８が、侵入防止柵ユニット１２３を更に回転させることで、侵入防止柵ユニット１２３は頂点Ｃおよび頂点Ｂが地面に接し、頂点Ａが上方側に配置されるようになる。このとき、錘部材１７は、頂点Ｂの近傍、即ち、侵入防止柵ユニット１２３の前方側に配置される。
【００５７】  係る状況は、図５に示した状態と同様である。このようにすることで、動物１８の立場にしてみれば、自らが侵入防止柵ユニット１２３を持ち上げたにも関わらず、侵入防止柵ユニット１２３の状況は何ら変わっていない。よって、動物１８が、圃場１０への侵入を諦める効果が期待される。
【００５８】  図８は他の形態に係る侵入防止柵ユニット１２３の構成を示す図であり、（Ａ）は侵入防止柵ユニット１２３を左方側から見た側面図で有り、（Ｂ）は侵入防止柵ユニット１２３を外側から見た図であり、（Ｃ）はローラ２２を左方側から見た図であり、（Ｄ）はローラ２２を外側から見た図である。ここでは、錘部材１７およびローラ２２の形態が、上記した侵入防止柵ユニット１２３とは異なる。
先ず、錘部材１７に関して説明する。
【００５９】  図８（Ａ）を参照して、ここでは、錘部材１７として、鉄などの比重が大きい素材から成る物体、例えば砲丸などの鋼球を採用している。また、錘部材１７は、接続紐２１を介して頂点Ａと接続されている。接続紐２１の長さは、断面視に於いて、頂点Ａ、頂点Ｂないし頂点Ｃの間で、錘部材１７の移動を許容しつつ、侵入防止柵ユニット１２３の長手方向において、錘部材１７の過度な移動を抑制し得る長さとされている。
【００６０】  図８（Ｂ）を参照して、錘部材１７および接続紐２１は、左右方向において複数が配置されている。このようにすることで、左右方向において錘部材１７の自重により、侵入防止柵ユニット１２３が全体的に持ち上げられてしまうことを防止する効果を奏しつつ、動物１８の力により侵入防止柵ユニット１２３が回転したとしても、侵入防止柵ユニット１２３の内部に於いて錘部材１７が偏在してしまうことを抑制できる。
次に、ローラ２２に関して説明する。
【００６１】  図８（Ａ）を参照して、断面角部である頂点Ａ、頂点Ｂおよび頂点Ｃの夫々に、ローラ２２が取り付けられている。ローラ２２は、略円柱状を呈し、頂点Ａ、頂点Ｂおよび頂点Ｃの夫々に、回転可能に取り付けられている。
【００６２】  図８（Ｂ）を参照して、左右方向において、ローラ２２は、左端部、中央部および右端部に配設されている。
【００６３】  ローラ２２を侵入防止柵ユニット１２３に設置することで、ローラ２２が地面と接して回転するので、動物１８が侵入防止柵ユニット１２３を持ち上げようとした際における侵入防止柵ユニット１２３の回転を容易にすることができる。
【００６４】  図８（Ｃ）および図８（Ｄ）を参照して、ローラ２２は、左右方向に沿って伸びる中心軸２３を有する略円柱状を呈する部材であり、その周囲には突部２４が形成されている。ローラ２２の半径は、例えば５ｃｍである。ローラ２２の左右方向における長さは、侵入防止柵ユニット１２３を構成するメッシュ格子枠に収まる程度であり、例えば、１５ｃｍ未満とされている。
【００６５】  突部２４は、ローラ２２の側面を部分的に半径方向外側に向かって突起させた部位である。突部２４は、ローラ２２の略全面に形成されている。突部２４をローラ２２に設けることで、突部２４が地面に食い込み、ローラ２２の回転を促進させ、更には、侵入防止柵ユニット１２３の回転を容易にする効果が奏される。ここで、突部２４の代わりに、ローラ２２の側面を部分的に窪ませた溝部が形成されても良い。
【００６６】  前述した本実施形態により、以下のような主要な効果を奏することができる。
【００６７】  図２を参照して、可動連結部１３２により、第１侵入防止柵ユニットとしての侵入防止柵ユニット１２２と、第２侵入防止柵ユニットとしての侵入防止柵ユニット１２３とが回転可能に連結されることで、動物１８の持ち上げにより侵入防止柵ユニット１２３が回転したとしても、当該持ち上げに伴う破損を抑制でき、動物１８が動物侵入防止柵１１を突破して圃場に侵入することを防止できる。
【００６８】  図２を参照して、可動連結部１３１等として紐状部材を採用することで、容易に可動連結部１３１を構成でき、更に、コストを低減することができる。更には、侵入防止柵ユニット１２３が回転すると、可動連結部１３２および可動連結部１３３が捻れるので、その捻れを確認することで、動物１８が侵入を試みたことを確認することができる。
【００６９】  図３（Ａ）を参照して、侵入防止柵ユニット１２２が略三角形の断面を有していることで、動物１８が侵入防止柵ユニット１２２等を持ち上げようとした際における破損を抑制でき。更には、図６等に示したように、動物１８が侵入しようとした際に、侵入防止柵ユニット１２３を回転させることで、当該侵入を阻止することもできる。
【００７０】  図６（Ａ）等を参照して、動物１８が侵入防止柵ユニット１２３を持ち上げたとしても、可動連結部１３１等が案内部材１６１等に沿って上方に移動することで、侵入防止柵ユニット１２３等が上方に移動しつつ回転し、その後、元の位置に戻り、動物１８は動物侵入防止柵１１を突破することはできない。
【００７１】  図６を参照して、動物１８が侵入防止柵ユニット１２３を持ち上げようとすると、錘部材１７は侵入防止柵ユニット１２３の内部を移動し、元の位置、例えば、侵入防止柵ユニット１２３の内部における外側に戻る。よって、侵入防止柵ユニット１２３と地面との間に大きな間隙が形成することが抑制され、当該間隙を経由して動物１８が圃場１０に進入することを抑制できる。
【００７２】  図７を参照して、錘部材１７が長尺部材であることで、侵入防止柵ユニット１２３の長さ方向全域に渡って錘部材１７による荷重を発生させることができ、侵入防止柵ユニット１２３と地面との間に大きな間隙が形成することを抑制できる。
【００７３】  図３（Ｂ）を参照して、矩形面部１４１等を紐等で結束することで侵入防止柵ユニット１２２を形成できるため、侵入防止柵ユニット１２２の製造、分解および再設置が容易である。よって、動物侵入防止柵１１で圃場１０を囲った場合でも、侵入防止柵ユニット１２２等を一時的に分解し、その箇所から耕運機等の農業用機械の出し入れを行うことができる。
【００７４】  以上、本発明の実施形態について説明したが、本発明は、これに限定されるものではなく、本発明の要旨を逸脱しない範囲で変更が可能である。また、前述した各形態は相互に組み合わせることが可能である。
【００７５】  例えば、図１に示した動物侵入防止柵１１は、圃場１０を完全に囲むように設置されていたが、動物侵入防止柵１１は圃場１０を不完全に囲むように設置されても良い。
【００７６】  図３を参照して、侵入防止柵ユニット１２２の断面形状として三角形を例示したが、侵入防止柵ユニット１２２の断面形状としては、四角形以上の多角形形状を採用することもできる。
【００７７】  図２に示した動物侵入防止柵１１では、全ての侵入防止柵ユニット１２１等どうしの間に、案内部材１６１等が設置されていたが、侵入防止柵ユニット１２１等どうしの間において、離散的に案内部材１６１等を配置することもできる。
【００７８】  図５を参照して、錘部材１７の断面形状として、正三角形以外の形状を採用することができる。例えば、錘部材１７の断面形状として、三角形以外の多角形形状、円形状、楕円形状等を採用することもできる。
【００７９】  図３（Ｂ）を参照して、三角面部１５１および三角面部１５２として、他の構成を採用することができる。具体的には、三角面部１５１および三角面部１５２の構成としては、侵入防止柵ユニット１２２等どうしを、妻部の重心で連結することができ、且つ、内蔵される錘部材１７が侵入防止柵ユニット１２２から外部に移動するのを防止できる構成であれば良い。具体的には、三角面部１５１および三角面部１５２の代わりに、星形状を呈する部材、または、各頂点から重心に向かって伸びる線状部材、等を採用することができる。
【符号の説明】
【００８０】１０    圃場
１１    動物侵入防止柵
１２１  侵入防止柵ユニット
１２２  侵入防止柵ユニット
１２３  侵入防止柵ユニット
１２４  侵入防止柵ユニット
１３１  可動連結部
１３２  可動連結部
１３３  可動連結部
１４１  矩形面部
１４２  矩形面部
１４３  矩形面部
１５１  三角面部
１５２  三角面部
１６１  案内部材
１６２  案内部材
１６３  案内部材
１７    錘部材
１８    動物
１９    接続部
２０    接続部
２１    接続紐
２２    ローラ
２３    中心軸
２４    突部
【要約】
【課題】動物の侵入を防止する効果等が向上された動物侵入防止柵を提供する。
【解決手段】本発明は、動物１８の所定領域への侵入を防止するために設置される動物侵入防止柵１１であり、侵入防止柵ユニット１２１等と、可動連結部１３１等と、を具備する。侵入防止柵ユニットは、多角形断面を有しており、且つ、互いに隣接された第１侵入防止柵ユニット１２１等および第２侵入防止柵ユニット１２１等を有する。可動連結部１３１等は、第１侵入防止柵ユニット１２１と第２侵入防止柵ユニット１２１とを回転可能な状態で連結する。
【選択図】図２【図１】
0006978654.tif 000002
【図２】
0006978654.tif 000003
【図３】
0006978654.tif 000004
【図４】
0006978654.tif 000005
【図５】
0006978654.tif 000006
【図６】
0006978654.tif 000007
【図７】
0006978654.tif 000008
【図８】
0006978654.tif 000009